(57)【特許請求の範囲】
【請求項１】
加熱コイルに高周波電流を供給し被加熱物を誘導加熱する誘導加熱手段と、前記誘導加熱手段への通電を制御する制御手段と、前記制御手段からの信号により音声を出力する音声合成手段と、前記音声合成手段で作成した波形から音声のピッチを変化させずに再生速度を変換した波形を生成する話速変換手段と、複数のスイッチを有し、メニュー選択、タイマ設定、火力設定、動作開始、及び動作停止操作が行われる操作手段と、選択された入力信号により話速を設定する話速設定手段と、すべての機能を使用できる第１の操作モードと前記第１の操作モードより使用できる機能の数を減らした少なくとも１つ以上の第２の操作モードとを切り換えるモード切換手段と、を備え、前記話速変換手段は、前記第１の操作モードの話速よりも前記第２の操作モードの話速を遅くしそれぞれで異なった話速で音声の出力を行うとともに、前記話速設定手段により、前記第１の操作モード及び前記第２の操作モードの音声出力の話速を設定及び変更する誘導加熱調理器。
【請求項２】
加熱コイルに高周波電流を供給し被加熱物を誘導加熱する誘導加熱手段と、前記誘導加熱手段への通電を制御する制御手段と、前記制御手段からの信号により音声を出力する音声合成手段と、複数のスイッチを有し、メニュー選択、タイマ設定、火力設定、動作開始、及び動作停止の操作が行われる操作手段と、すべての機能を使用できる第１の操作モードと前記第１の操作モードより使用できる機能の数を減らした少なくとも１つ以上の第２の操作モードとを切り換えるモード切換手段と、を備え、前記音声合成手段は、前記第２の操作モードにおいて、すべての操作や機器状態の変化に応じて、機器情報を音声で報知し、且つ前記第１の操作モードにおいて、前記機器情報を報知しない誘導加熱調理器。
【請求項３】
加熱コイルに高周波電流を供給し被加熱物を誘導加熱する誘導加熱手段と、前記誘導加熱手段への通電を制御する制御手段と、前記制御手段からの信号により音声を出力する音声合成手段と、前記音声合成手段で作成した波形から音声のピッチを変化させずに再生速度を変換した波形を生成する話速変換手段と、すべての機能を使用できる第１の操作モードと前記第１の操作モードより使用できる機能の数を減らした少なくとも１つ以上の第２の
操作モードとを切り換えるモード切換手段と、機器使用状況や故障、誤使用の検知情報を記憶する機器情報記憶手段と、前記機器情報記憶手段で記憶された機器情報を音声で報知する機器情報報知モードと、を備え、前記モード切換手段により切り換えられた前記機器情報報知モードにおいて、前記話速変換手段は、前記音声合成手段から出力される音声の速度を前記第１の操作モードより遅くし繰り返し出力する誘導加熱調理器。
【発明の詳細な説明】
【技術分野】
【０００１】
本発明は、調理容器を誘導加熱する誘導加熱調理器に関する。
【背景技術】
【０００２】
従来、誘導加熱調理器において、タイマ機能、天ぷら調理機能、自動湯沸し機能、炊飯機能、おかゆ機能等、商品の機能の多くなり、高機能化が進み、これを操作するため、操作スイッチやＬＣＤやＬＥＤによる表示素子が増加して、操作が複雑になったため、子供や高齢者、視覚障害者等、使用者に応じて、使用できる機能を限定するための操作モード切換手段を備えるものがある。
【０００３】
また、音声波形を生成し、増幅してスピーカから音声を出力する音声合成手段を備え、使用者に使用方法のガイドを行ったり、さらに、ガイド音声を聞き逃した場合に、再度、再生する場合には、音声の音量を大きくして、使用者にとって、ガイド内容を判りやすくする方法が考案されている。
【０００４】
また、音声波形の隣接する長さの等しい２つの波形の誤差が、最も小さくなるような波形を重ね合わせて、音声波形に挿入することにより、音声の再生速度を変換する方法が実現されている。
【先行技術文献】
【特許文献】
【０００５】
【特許文献１】特許第４０３９４１１号公報
【特許文献２】特許第３８９１３０９号公報
【発明の概要】
【発明が解決しようとする課題】
【０００６】
しかしながら、近年の加熱調理器において、音声ガイド機能を有するものでも、機器の使用に慣れた使用者にとっては、ガイド音声が多いと煩わしいと感じられ、ガイド音声が長い場合には、判りにくい、という課題があった。
【０００７】
さらには、高齢者等、使用者によっては、音声の音量を大きくした場合にも、ガイド音声の再生速度が速く、うまくガイド音声を聞き取れない、という課題があった。
【０００８】
また、ガイド音声が少ない場合、視覚障害のある使用者は、機器情報が不足して、安全に使用するのは、難しいという課題があった。
【０００９】
以上のように、上記従来の課題を解決するもので、使用者に応じて、操作モードを切替えて、さらに、ガイド音声の再生速度を変更することで、さまざまな使用者にとって、安全で、使い勝手のよい誘導加熱調理器を提供することを目的としている。
【課題を解決するための手段】
【００１０】
前記従来の課題を解決するために、本発明の誘導加熱調理器は、加熱コイルに高周波電流を供給し被加熱物を誘導加熱する誘導加熱手段と、前記誘導加熱手段への通電を制御する制御手段と、前記制御手段からの信号により音声を出力する音声合成手段と、前記音声合成手段で作成した波形から音声のピッチを変化させずに再生速度を変換した波形を生成する話速変換手段と、複数のスイッチを有し、メニュー選択、タイマ設定、火力設定、動作開始、及び動作停止操作が行われる操作手段と、選択された入力信号により話速を設定する話速設定手段と、すべての機能を使用できる第１の操作モードと前記第１の操作モードより使用できる機能の数を減らした少なくとも１つ以上の第２の操作モードとを切り換えることができるモード切換手段と、を備え、前記話速変換手段は、前記第１の操作モードよりも前記第２の操作モードの話速を遅くしそれぞれで異なった話速で音声の出力を行うとともに、前記話速設定手段により、前記第１の操作モード及び前記第２の操作モードの音声出力の話速を設定及び変更するようにしたものである。
【００１１】
これによって、使用者に応じて、聞きやすい速度で音声出力を行うことができる。また、機器の機能を限定し、モードを切り換えて、操作を簡単にした操作モードにおいては、子供や高齢者にも聞きやすい音声ガイドを実現できる。また、第１の操作モード及び第１の操作モードより話速の遅い第２の操作モードにおいて、使用者に応じて、聞きやすい速度の音声速度に設定できる。
【発明の効果】
【００１２】
本発明の誘導加熱調理器は、機能を限定し、操作を簡単にした操作モードにおいて、使用する場合に、ガイド音声の速度を低下して、子供や高齢者にも聞きやすく、また、視覚障害者でも安全に使用でき、快適で利便性を高くすることができる。
【図面の簡単な説明】
【００１３】
【図１】本発明の実施の形態１における誘導加熱調理器のブロック図
【図２】本発明の実施の形態１における誘導加熱調理器のモードと機能の関係を示す図
【図３】（ａ）本発明の実施の形態１における第１の操作モードの表示例を示す図（ｂ）本発明の実施の形態１における第２の操作モードの表示例を示す図
【図４】（ａ）本発明の実施の形態１における第１の操作モードの話速設定の表示例を示す図（ｂ）本発明の実施の形態１における第２の操作モードの話速設定の表示例を示す図
【図５】本発明の実施の形態１における第２の操作モードの音声ガイド例を示す図
【図６】本発明の実施の形態１における機器情報報知モードの音声ガイド例を示す図
【発明を実施するための形態】
【００１４】
第１の発明は、加熱コイルに高周波電流を供給し被加熱物を誘導加熱する誘導加熱手段と、前記誘導加熱手段への通電を制御する制御手段と、前記制御手段からの信号により音声を出力する音声合成手段と、前記音声合成手段で作成した波形から音声のピッチを変化させずに再生速度を変換した波形を生成する話速変換手段と、複数のスイッチを有し、メニュー選択、タイマ設定、火力設定、動作開始、及び動作停止操作が行われる操作手段と、選択された入力信号により話速を設定する話速設定手段と、すべての機能を使用できる第１の操作モードと前記第１の操作モードより使用できる機能の数を減らした少なくとも１つ以上の第２の操作モードとを切り換えることができるモード切換手段と、を備え、前記話速変換手段は、前記第１の操作モードよりも前記第２の操作モードの話速を遅くしそれぞれで異なった話速で音声の出力を行うとともに、前記話速設定手段により、前記第１の操作モード及び前記第２の操作モードの音声出力の話速を設定及び変更することにより、使用者に応じて、聞きやすい速度の音声出力ができる。また、機器の機能を限定し、モードを切り換えて、操作を簡単にした操作モードにおいては、子供や高齢者にも聞きやすい音声ガイドを実現できる。また、第１の操作モード及び第１の操作モードより話速の遅い第２の操作モードにおいて、使用者に応じて、聞きやすい速度の音声速度に設定できる。
【００１７】
第２の発明は、加熱コイルに高周波電流を供給し被加熱物を誘導加熱する誘導加熱手段と、前記誘導加熱手段への通電を制御する制御手段と、前記制御手段からの信号により音声を出力する音声合成手段と、複数のスイッチを有し、メニュー選択、タイマ設定、火力設定、動作開始、及び動作停止の操作が行われる操作手段と、すべての機能を使用できる第１の操作モードと前記第１の操作モードより使用できる機能の数を減らした少なくとも１つ以上の第２の操作モードとを切り換えるモード切換手段と、を備え、前記音声合成手段は、前記第２の操作モードにおいて、すべての操作や機器状態の変化に応じて、機器情報を音声で報知し、且つ前記第１の操作モードにおいて、前記機器情報を報知しないことによって、子供や高齢者や、表示素子では認識できない視覚障害者でも安全に使用することができる。また、機器の使用方法に慣れた使用者にとっては、機器の設定や状況の変化を逐次報知すると、煩わしく感じるので、それを抑える。
【００１８】
第３の発明は、特に、第１〜４のいずれか１つの発明において、加熱コイルに高周波電流を供給し被加熱物を誘導加熱する誘導加熱手段と、前記誘導加熱手段への通電を制御する制御手段と、前記制御手段からの信号により音声を出力する音声合成手段と、前記音声合成手段で作成した波形から音声のピッチを変化させずに再生速度を変換した波形を生成する話速変換手段と、すべての機能を使用できる第１の操作モードと前記第１の操作モードより使用できる機能の数を減らした少なくとも１つ以上の第２の操作モードとを切り換えるモード切換手段と、機器使用状況や故障、誤使用の検知情報を記憶する機器情報記憶手段と、機器情報記憶手段で記憶された機器情報を音声で報知する機器情報報知モードと、を備え、前記モード切換手段により切り換えられた前記機器情報報知モードにおいて、前記話速変換手段は、前記音声合成手段から出力される音声の速度を前記第１の操作モードより遅くし繰り返し出力することにより、故障や誤使用等の機器異常情報を修理サービス担当者に、機器の音声出力により、通知でき、さらに、電話による通知であっても、音声速度を遅くしているので、明確に音声による報知を理解できるため、修理サービス担当者が修理を行うことが容易になり、誤使用の場合には、正確な助言を行うことができる。
【００１９】
以下、本発明の実施の形態について、図面を参照しながら説明する。なお、この実施の形態によって本発明が限定されるものではない。
【００２０】
（実施の形態１）
図１は、本発明の実施の形態１における誘導加熱調理器のブロック構成図である。
【００２１】
図１において、トッププレート１の上に鍋（被加熱物）２が載置される。加熱コイル３はトッププレート１の下部に配置され、高周波磁界を発生することにより、鍋２を誘導加熱する。誘導加熱手段４は、加熱コイル３に高周波電流を供給するものであり、スイッチ素子や平滑コンデンサ等により構成される。温度検出器５は、サーミスタ等の感温素子で、トッププレート１の下部温度を検出する。操作手段６は、調理メニューを選択する「選択」スイッチ、火力や温度を設定する「アップ」スイッチと「ダウン」スイッチ、タイマ設定を行う「プラス」スイッチと「マイナス」スイッチ、調理の開始および停止を行う「開始停止」スイッチ、さらに、モードを切り換える「切換」スイッチにより構成され、使用者が各スイッチを押下した結果は、制御手段８に入力され、制御手段８は表示手段９により設定された火力や温度に応じた表示を行い、さらに、制御手段８は、調理メニューと火力や温度に応じて、誘導加熱手段４により、鍋２を加熱する。さらに、音声ガイドを行うため、制御手段８の出力に応じて、音声合成手段１０は、音声を出力する波形を生成して話速変換手段１１に出力する。話速変換手段１１は、制御手段８から操作モードに応じた音声ガイドの速度を入力して、音声合成手段１０から入力した音声波形を音声出力の速度に応じて変更して、スピーカ１２より出力する。機器情報記憶手段１３は、不揮発性メモリにより構成され、制御手段８からの出力により、使用履歴や、故障履歴、誤使用履歴を記憶する。
【００２２】
実施の形態１では、制御手段８は、マイクロコンピュータにより、実現し、音声合成手段１０と話速変換手段１１も、マイクロコンピュータにより、実現し、音声合成手段１０と話速変換手段１１は、マイクロコンピュータ内部でデジタル化した音声信号からマイクロコンピュータのＤＡ変換器によりアナログ波形として出力し、増幅回路（図示していない）を通じて、スピーカ１２に出力する。
【００２３】
また、制御手段８と音声合成手段１０および話速変換手段１１は、それぞれ別のマイクロコンピュータにより実現しているが、１つのマイクロコンピュータで安価に実現することも考えられる。
【００２４】
また、話速変換手段１１は、音声合成手段１０により、デジタル化された音声信号から音声のピッチを変化させずにその再生速度を任意の速度に変換できるものである。
【００２５】
次に、図２から図５を用いて、本発明の実施の形態１における誘導加熱調理器の動作状態を説明する。
【００２６】
図２は、本発明の実施の形態１における誘導加熱調理器の操作モードと機能の関係を示す図である。
【００２７】
図２に示すように、すべての機能が使用できる操作モードでは、調理器としてのすべての機能が使用でき、限定された機能のみ使用できるモードでは、調理器として加熱機能のみが使用できる。実施の形態１では、第２の操作モードでは、加熱機能のみ使用できるようにしているため、第２の操作モードでは、操作が非常に簡単になり、子供や高齢者でも簡単に操作ができる。機器情報報知モードでは、調理器としての機能は使用できず、機器情報記憶手段１３に記憶されている使用履歴、故障履歴、誤使用履歴を連続的に音声で報知する。
【００２８】
図３（ａ）は、すべての機能が使用できる操作モードの表示例を示す図である。
【００２９】
図３（ａ）において、操作手段６の「選択」スイッチによって、表示手段９の「加熱」「天ぷら」「湯沸し」「炊飯」「おかゆ」に対応する機能を選択し、「開始停止」スイッチによって、加熱動作を開始、または、停止する。「加熱」が選択されると、「アップ」スイッチおよび「ダウン」スイッチによって、火力を設定できる。さらに、「マイナス」スイッチおよび「プラス」スイッチによって、タイマ時間を設定することができる。タイマ時間を設定すると、表示手段９の時間表示領域９ａに、調理終了までの残時間が表示される。「天ぷら」が選択されると、「アップ」スイッチおよび「ダウン」スイッチによって、油の温調温度を設定できる。「炊飯」「おかゆ」では、「アップ」スイッチおよび「ダウン」スイッチによって、炊飯量をカップ数で設定できる。
【００３０】
このように、すべての機能を使用できるため、複雑な操作が必要となる。
【００３１】
操作モード切換手段７である「切換」スイッチを押すと、限定された機能のみ使用できるモードに移行する。
【００３２】
図３（ｂ）は、限定された機能のみ使用できる操作モードの表示例を示す図である。
【００３３】
図３（ｂ）において、表示手段９には「簡単」が表示され、操作手段６には、図２（ａ）における「選択」スイッチがなく、表示手段９の「加熱」機能のみが選択でき、「開始停止」スイッチによって、加熱動作を開始、または、停止する。また、図２（ａ）における「マイナス」スイッチ、「プラス」スイッチがなく、タイマ調理動作は、できない。
【００３４】
このように、あまり頻繁に使用することがない機能を選択できないようにし、複雑な操作を排除することで、子供や高齢者でも簡単に使用できる。
【００３５】
操作モード切換手段７である「切換」スイッチを押すと、すべての機能が使用できるモードに移行する。
【００３６】
図４（ａ）は、すべての機能が使用できる操作モードにおける音声ガイドの話速を設定する場合の表示例を示す図である。
【００３７】
表示手段９の時間表示領域９ａの時間桁に「０」表示し、分桁に２桁で「０５」〜「１５」の数値を表示し、この数値を１０で割った値から速度を決定し、設定する。したがって、［０５］の場合、５０％の音声速度となり、「１５」の場合、１５０％の音声速度となる。「１０」の場合、話速変換手段１１では、話速変換をせず、音声合成手段１０で生成された音声波形を加工せずにスピーカ１２から出力する。
【００３８】
「アップ」スイッチを押すと、限定された機能のみ使用できる操作モードにおける音声ガイドの話速を設定する状態になる。
【００３９】
図４（ｂ）は、限定された機能のみ使用できる第２の操作モードにおける音声ガイドの話速を設定する場合の表示例を示す図である。
【００４０】
表示手段９の時間表示領域９ａの時間桁に「１」表示し、分桁に２桁で「０５」〜「１５」の数値を表示し、この数値から速度を計算する。「１３」の場合、話速変換手段１１は、音声合成手段１０で生成された音声波形から速度を３０％早くした音声波形を生成しスピーカ１２から出力する。
【００４１】
「ダウン」スイッチを押すと、すべての機能が使用できる第１の操作モードにおける音声ガイドの話速を設定する状態になる。
【００４２】
図５は、第２の操作モードでの音声ガイドの例のリストである。
【００４３】
音声ガイドは、機器の使用方法に慣れた使用者にとっては、機器の設定や状況の変化を逐次報知すると、煩わしく感じるため、機器の使用方法に慣れた使用者が使用する第１の操作モードでは、報知しない。しかし、子供や高齢者、視覚障害者が安心して、安全にしようできるようにするために、第２の報知モードでは、機器の設定や状況の変化を逐次報知する。
【００４４】
図６は、機器情報報知モードで、音声により出力される機器情報である。
【００４５】
図１のモード切替手段７により、機器情報報知モードになると、リストに示す機器情報を順番に、繰り返し音声で報知する。機器が故障した場合や、うまく使用できない場合にサービス担当者の電話連絡した場合に、機器情報報知モードにすると、サービス担当者は、機器を購入してからの使用時間や停電検知回数、故障情報、誤使用情報を機器から直接、音声で得ることができ、サービス対応を正確に行うことができる。
【００４６】
以上のように、本実施の形態においては、すべての機能を使用できる操作モードと限定された機能のみ使用できる少なくとも１つ以上の操作モードを切り換えることができ、操作モード切換手段は、話速変換手段１１は、複数の操作モードのそれぞれのモードで異なった話速で音声の出力を行うことにより、使用者に応じて、聞きやすい速度で音声出力を行うことができ、機能が限定された操作モードで、使用する場合に、ガイド音声の速度を低下して、子供や高齢者にも聞きやすく、判りやすい、安全で、快適な利便性の高い誘導加熱調理器を提供することができる。さらに、機器が故障した場合には、使用者と修理サービス担当者との間の電話を通じて、機器情報報知モードに切り替えて機器情報を音声で、通知できるので、サービス担当者が修理を行う場合や、誤使用に対する適切な助言を行うことができる。
【００４７】
また、本実施の形態では、すべての機能が使用できる操作モードと「加熱」だけが使用できる操作モードの２つの操作モードで話速を切り換えるものとしているが、操作モードは、２つ以上であれば、いくつでもよく、使用者の人数に応じて操作モードを準備し、それぞれのモードで話速を設定できるとなおよい。
【００４８】
また、本実施の形態では、それぞれの操作モードで話速を切り換えるものとしているが、音量や音程を切り換えるようにすることで、さらに、使用者にとって、聞きやすい音声ガイド機能が実現できる。
【産業上の利用可能性】
【００４９】
以上のように、本発明にかかる誘導加熱調理器は、音声ガイド機能を備え、使用者に応じて音声再生速度を設定して、聞きやすい速度で音声を出力するので、音声ガイド機能を備えた各種機器等の安全性、利便性向上の用途にも適応できる。
【符号の説明】
【００５０】
２  鍋（被加熱物）
３  加熱コイル
４  誘導加熱手段
６  操作手段
７  モード切換手段
８  制御手段
９  表示手段
１０  音声合成手段
１１  話速変換手段
１３  機器情報記憶手段
【図１】
0005423218.tif 000002
【図２】
0005423218.tif 000003
【図３】
0005423218.tif 000004
【図４】
0005423218.tif 000005
【図５】
0005423218.tif 000006
【図６】
0005423218.tif 000007